(57)【特許請求の範囲】
【請求項１】
通信端末に楽曲データを提供する楽曲データ提供サーバと通信ネットワークを介して通信可能に接続される楽曲データ送信装置であって、
演奏情報入力装置から入力されるリアルタイム演奏情報を所定形式の楽曲データとして記録する記録手段と、
送付先携帯通信端末の携帯電話キャリアを選択するキャリア選択手段と、
上記送付先携帯通信端末のユーザアカウントを入力するための送付先入力手段と、
上記記録手段により記録された楽曲データを、上記キャリア選択手段により選択された携帯電話キャリアに応じたドメイン名と上記送付先入力手段により入力されたユーザアカウントとに基づいて特定される送付先メールアドレスと共に、楽曲データ提供サーバにアップロードする通信手段と
を具備することを特徴とする楽曲データ送信装置。
【請求項２】
さらに、
楽曲データとして記録される演奏情報に対して著作権情報を入力するための著作権情報入力手段
を具備し、
前記通信手段は、上記著作権情報入力手段により入力された著作権情報を、記録された楽曲データと共に、楽曲データ提供サーバにアップロードする
ことを特徴とする請求項１に記載の楽曲データ送信装置。
【請求項３】
前記記録手段は、リアルタイム演奏情報の記録時に発生した不要部をカットすることを特徴とする請求項１又は２に記載の楽曲データ送信装置。
【請求項４】
楽曲データ送信装置と、通信ネットワークを介して該楽曲データ送信装置及び携帯通信端末と通信可能に接続される楽曲データ提供サーバとにより構成される楽曲データ提供システムであって、
楽曲データ送信装置は、
演奏情報入力装置から入力されるリアルタイム演奏情報を第１形式の楽曲データとして記録する記録手段と、
送付先携帯通信端末の携帯電話キャリアを選択するキャリア選択手段と、
上記送付先携帯通信端末のユーザアカウントを入力するための送付先入力手段と、
上記記録手段により記録された第１形式の楽曲データを、上記キャリア選択手段により選択された携帯電話キャリアに応じたドメイン名と上記送付先入力手段により入力されたユーザアカウントとに基づいて特定される送付先メールアドレスと共に、楽曲データ提供サーバにアップロードする通信手段と
を具備し、
楽曲データ提供サーバは、
楽曲データ送信装置からアップロードされてくる第１形式の楽曲データを上記送付先メールアドレスと共に受信する受信手段と、
上記受信手段により受信された第１形式の楽曲データを記憶装置に蓄積する楽曲データ蓄積手段と、
上記受信手段により受信された送付先メールアドレスの携帯通信端末にダウンロードＵＲＬを送信するＵＲＬ送信手段と、
上記ダウンロードＵＲＬが送信された携帯通信端末からのアクセスに応じて上記記憶装置から読み出された第１形式の楽曲データを当該携帯通信端末の機種に適した第２形式の楽曲データに変換するデータ変換手段と、
上記データ変換手段により変換された第２形式の楽曲データを当該携帯通信端末へと配信するデータ配信手段と
を具備することを特徴とする楽曲データ提供システム。
【請求項５】
前記楽曲データ送信装置は、さらに、第１形式の楽曲データとして記録される演奏情報に対して著作権情報を入力するための著作権情報入力手段を具備し、
前記通信手段は、上記著作権情報入力手段により入力された著作権情報を、記録された第１形式の楽曲データと共に、楽曲データ提供サーバにアップロードし、
前記楽曲データ提供サーバは、さらに、上記楽曲データ送信装置からアップロードされた著作権情報に基づいて著作権処理をする著作権処理手段を具備する
ことを特徴とする請求項４に記載の楽曲データ提供システム。
【請求項６】
通信端末に楽曲データを提供する楽曲データ提供サーバと通信ネットワークを介して通信可能に接続される楽曲データ送信装置として機能するコンピュータに、
演奏情報入力装置から入力されるリアルタイム演奏情報を所定形式の楽曲データとして記録する記録ステップと、
送付先携帯通信端末の携帯電話キャリアを選択するキャリア選択ステップと、
上記送付先携帯通信端末のユーザアカウントを入力する送付先入力ステップと、
上記記録ステップで記録された楽曲データを、上記キャリア選択ステップで選択された携帯電話キャリアに応じたドメイン名と上記送付先入力ステップで入力されたユーザアカウントとに基づいて特定される送付先メールアドレスと共に、楽曲データ提供サーバにアップロードする通信ステップと
から成る手順を実行させるための楽曲データ送信プログラム。
【請求項７】
通信ネットワークを介して楽曲データ送信装置及び携帯通信端末と通信可能に接続される楽曲データ提供サーバとして機能するコンピュータであって、該楽曲データ送信装置は、演奏情報入力装置から入力されるリアルタイム演奏情報を第１形式の楽曲データとして記録する記録手段と、送付先携帯通信端末の携帯電話キャリアを選択するキャリア選択手段と、該送付先携帯通信端末のユーザアカウントを入力するための送付先入力手段と、該記録手段により記録された第１形式の楽曲データを、該キャリア選択手段により選択された携帯電話キャリアに応じたドメイン名と該送付先入力手段により入力されたユーザアカウントとに基づいて特定される送付先メールアドレスと共に、該楽曲データ提供サーバにアップロードする通信手段とを具備するものに、
楽曲データ送信装置からアップロードされてくる第１形式の楽曲データを上記送付先メールアドレスと共に受信する受信ステップと、
上記受信ステップで受信された第１形式の楽曲データを記憶装置に蓄積する楽曲データ蓄積ステップと、
上記受信ステップで受信された送付先メールアドレスの携帯通信端末にダウンロードＵＲＬを送信するＵＲＬ送信ステップと、
上記ダウンロードＵＲＬが送信された携帯通信端末からのアクセスに応じて上記記憶装置から読み出された第１形式の楽曲データを当該携帯通信端末の機種に適した第２形式の楽曲データに変換するデータ変換ステップと、
上記データ変換ステップで変換された第２形式の楽曲データを当該携帯通信端末へと配信するデータ配信ステップと
から成る手順を実行させるための楽曲データ提供プログラム。
【発明の詳細な説明】
【０００１】
【発明の属する技術分野】
この発明は、携帯通信端末で用いられる着信メロディなどの楽曲データを作成し配信するための楽曲データ送受信システムに関する。
【０００２】
【従来の技術】
従来、携帯電話機などの携帯通信端末においては、着信時等に発生させる楽曲データをコンテンツプロバイダー（楽曲データ提供者）のｗｅｂサイトからダウンロードするサービスがある。この場合、コンテンツプロバイダーからダウンロードする楽曲データは、プロフェッショナルな専門のクリエータ（楽曲データ制作者）により制作されたものであって、完成され過ぎており、携帯通信端末の利用者にとっては、かえって個性が出ないという不都合があった。
【０００３】
【発明が解決しようとする課題】
この発明は、このような実情に鑑み、通信ネットワークを介して配信される着信メロディなどの楽曲データを個性的なものとすると共に、個性的な着信メロディ楽曲データを簡単に作成し配信することができる楽曲データ送受信システムを提供することを目的とする。
【０００４】
【課題を解決するための手段】
この発明の一つの特徴に従うと、通信端末に楽曲データを提供する楽曲データ提供サーバ（４）と通信ネットワーク（３）を介して通信可能に接続される楽曲データ送信装置（１）であって、演奏情報入力装置（２）から入力されるリアルタイム演奏情報を所定形式の楽曲データとして記録する記録手段（Ｓ３〜Ｓ６；１２）と、送付先携帯通信端末（８）の携帯電話キャリアを選択するキャリア選択手段（Ｓ８；１１，Ｂ５）と、送付先携帯通信端末（８）のユーザアカウント（Ａ４）を入力するための送付先入力手段（Ｓ８；１１）と、記録手段により記録された楽曲データを、キャリア選択手段により選択された携帯電話キャリアに応じたドメイン名（Ａ５）と送付先入力手段により入力されたユーザアカウント（Ａ４）とに基づいて特定される送付先メールアドレス（Ａ４，Ａ５）と共に、楽曲データ提供サーバ（４）にアップロードする通信手段（Ｓ１０；１３）とを具備する楽曲データ送信装置〔請求項１〕、並びに、通信端末に楽曲データを提供する楽曲データ提供サーバ（４）と通信ネットワーク（３）を介して通信可能に接続される楽曲データ送信装置（１）として機能するコンピュータに、演奏情報入力装置（２）から入力されるリアルタイム演奏情報を所定形式の楽曲データとして記録する記録ステップ（Ｓ３〜Ｓ６）と、送付先携帯通信端末（８）の携帯電話キャリアを選択するキャリア選択ステップ（Ｓ８）と、送付先携帯通信端末（８）のユーザアカウント（Ａ４）を入力する送付先入力ステップ（Ｓ８）と、記録ステップで記録された楽曲データを、キャリア選択ステップで選択された携帯電話キャリアに応じたドメイン名（Ａ５）と送付先入力ステップで入力されたユーザアカウント（Ａ４）とに基づいて特定される送付先メールアドレス（Ａ４，Ａ５）と共に、楽曲データ提供サーバ（４）にアップロードする通信ステップ（Ｓ１０）とから成る手順を実行させるための楽曲データ送信プログラム。〔請求項６〕が提供される。なお、括弧書きは、対応する実施例中の参照記号又は用語を表わし、以下においても同様である。
【０００５】
この特徴に従う楽曲データ送信装置においては、さらに、楽曲データとして記録される演奏情報に対して著作権情報を入力するための著作権情報入力手段（Ｓ７；１１，Ｂ４）を具備し、通信手段（Ｓ１０；１３）は、著作権情報入力手段により入力された著作権情報を、記録された楽曲データと共に、楽曲データ提供サーバにアップロードする〔請求項２〕ように構成することができる。また、記録手段（Ｓ３〜Ｓ６；１２）は、リアルタイム演奏情報の記録時に発生した不要部をカットする（Ｓ６）〔請求項３〕ように構成することができる。
【０００６】
この発明の更なる特徴に従うと、楽曲データ送信装置（１）と、通信ネットワーク（３）を介して楽曲データ送信装置（１）及び携帯通信端末（８）と通信可能に接続される楽曲データ提供サーバ（４）とにより構成される楽曲データ提供システムであって、楽曲データ送信装置（１）は、演奏情報入力装置（２）から入力されるリアルタイム演奏情報を第１形式の楽曲データとして記録する記録手段（Ｓ３〜Ｓ６；１２）と、送付先携帯通信端末（８）の携帯電話キャリアを選択するキャリア選択手段（Ｓ８；１１，Ｂ５）と、送付先携帯通信端末（８）のユーザアカウント（Ａ４）を入力するための送付先入力手段（Ｓ８；１１）と、記録手段により記録された第１形式の楽曲データを、キャリア選択手段により選択された携帯電話キャリアに応じたドメイン名（Ａ５）と送付先入力手段により入力されたユーザアカウント（Ａ４）とに基づいて特定される送付先メールアドレス（Ａ４，Ａ５）と共に、楽曲データ提供サーバ（４）にアップロードする通信手段（Ｓ１０；１３）とを具備し、楽曲データ提供サーバ（４）は、楽曲データ送信装置（１）からアップロードされてくる第１形式の楽曲データを送付先メールアドレス（Ａ４，Ａ５）と共に受信する受信手段（Ｓ１２；４１）と、受信手段により受信された第１形式の楽曲データを記憶装置（４２）に蓄積する楽曲データ蓄積手段（Ｓ１４；４２）と、受信手段により受信された送付先メールアドレス（Ａ４，Ａ５）の携帯通信端末（８）にダウンロードＵＲＬを送信するＵＲＬ送信手段（Ｓ１５；４１）と、ダウンロードＵＲＬが送信された携帯通信端末（８）からのアクセスに応じて記憶装置（４２）から読み出された第１形式の楽曲データを当該携帯通信端末（８）の機種に適した第２形式の楽曲データに変換するデータ変換手段（Ｓ１６，Ｓ１７；４３）と、データ変換手段により変換された第２形式の楽曲データを当該携帯通信端末（８）へと配信するデータ配信手段（Ｓ１８；４１）とを具備する楽曲データ提供システム〔請求項４〕、並びに、通信ネットワーク（３）を介して楽曲データ送信装置（１）及び携帯通信端末（８）と通信可能に接続される楽曲データ提供サーバ（４）として機能するコンピュータであって、楽曲データ送信装置（１）は、演奏情報入力装置（２）から入力されるリアルタイム演奏情報を第１形式の楽曲データとして記録する記録手段（Ｓ３〜Ｓ６；１２）と、送付先携帯通信端末（８）の携帯電話キャリアを選択するキャリア選択手段（Ｓ８；１１，Ｂ５）と、送付先携帯通信端末（８）のユーザアカウント（Ａ４）を入力するための送付先入力手段（Ｓ８；１１）と、記録手段により記録された第１形式の楽曲データを、キャリア選択手段により選択された携帯電話キャリアに応じたドメイン名（Ａ５）と送付先入力手段により入力されたユーザアカウント（Ａ４）とに基づいて特定される送付先メールアドレス（Ａ４，Ａ５）と共に、楽曲データ提供サーバ（４）にアップロードする通信手段（Ｓ１０；１３）とを具備するもの（４）に、楽曲データ送信装置（１）からアップロードされてくる第１形式の楽曲データを送付先メールアドレス（Ａ４，Ａ５）と共に受信する受信ステップ（Ｓ１２）と、受信ステップで受信された第１形式の楽曲データを記憶装置（４２）に蓄積する楽曲データ蓄積ステップ（Ｓ１４）と、受信ステップで受信された送付先メールアドレス（Ａ４，Ａ５）の携帯通信端末（８）にダウンロードＵＲＬを送信するＵＲＬ送信ステップ（Ｓ１５）と、ダウンロードＵＲＬが送信された携帯通信端末（８）からのアクセスに応じて記憶装置（４２）から読み出された第１形式の楽曲データを当該携帯通信端末の機種に適した第２形式の楽曲データに変換するデータ変換ステップ（Ｓ１６，Ｓ１７）と、データ変換ステップで変換された第２形式の楽曲データを当該携帯通信端末（８）へと配信するデータ配信ステップ（Ｓ１８）とから成る手順を実行させるための楽曲データ提供プログラム〔請求項７〕が提供される。
【０００７】
この特徴に従う楽曲データ提供システムにおいて、楽曲データ送信装置は、さらに、第１形式の楽曲データとして記録される演奏情報に対して著作権情報を入力するための著作権情報入力手段（Ｓ７；１１，Ｂ４）を具備し、通信手段（Ｓ１０；１３）は、著作権情報入力手段により入力された著作権情報を、記録された第１形式の楽曲データと共に、楽曲データ提供サーバにアップロードし、楽曲データ提供サーバは、さらに、楽曲データ送信装置（１）からアップロードされた著作権情報に基づいて著作権処理をする著作権処理手段（Ｓ１３；４１，５）を具備する〔請求項５〕ように構成することができる。
【０００８】
〔発明の作用〕
この発明の１つの特徴による楽曲データ送信装置の構成によれば、まず、電子楽器などの演奏情報入力装置（２）からのリアルタイム演奏をＳＭＦ等の所定形式（第１形式）の楽曲データとして記憶手段（１２）に記録する（Ｓ３〜Ｓ６）。ここで、家族や友人などが演奏情報入力装置（２）を使ってリアルタイム演奏した場合、このようなリアルタイムの演奏は、癖があったり、あまり上手ではない等、未完成ではあるが、十分に個性的なものである。次いで、この楽曲データの送付先となる携帯通信端末（８）について、キャリア選択手段又はステップ〔１１；図２（ｂ）のＢ５，Ａ５〕で携帯電話キャリアを選択し送付先入力手段〔１１；図２（ｂ）のＡ４〕でユーザアカウント（Ａ４：＠より前のメールアドレス先頭部分）を入力することにより、携帯電話キャリアに応じたドメイン名（Ａ５：＠以降のメールアドレス後半部分）とユーザアカウント（Ａ４）に基づいて送付先メールアドレス（Ａ４，Ａ５）を特定する（Ｓ８）。そして、記録された楽曲データを送付先メールアドレス（Ａ４，Ａ５）と共に楽曲データ提供サーバ（楽曲データ変換・配信サーバ４）にアップロードする（Ｓ１０）。従って、この発明によれば、演奏情報入力装置からのリアルタイム演奏して得られる個性的な演奏情報から、送付先携帯通信端末のメールアドレスが付随した携帯通信端末用楽曲データを簡単に作成して楽曲データ提供サーバにアップロードすることができ、送付先携帯通信端末において個性的な演奏の楽曲データを着信メロディ等に有効利用させることができる。
【０００９】
この発明においては、また、楽曲データに付随して楽曲データ提供サーバ（４）に送信する送付先メールアドレス（Ａ４，Ａ５）は、携帯電話キャリアに応じたドメイン名（Ａ５）を含み、携帯電話キャリアを利用する携帯通信端末（８）のものに限定するようにしている。一般的に、このような携帯通信端末に配信された楽曲データは、他の装置に転送したり、取り出したりすることができないため、楽曲データは違法コピーされる可能性が低いが、パーソナルコンピュータ（ＰＣ）等の端末に配信してしまうと、簡単に違法コピーされてしまう可能性がある。この発明によれば、入力可能な送付先メールアドレスを携帯電話キャリア利用の携帯通信端末（８）に限定し、このような携携帯通信端末以外のパーソナルコンピュータ等の通信端末に間違って楽曲データを配信することを防止することができる。
【００１０】
さらに、この発明の楽曲データ送信装置では、ユーザに楽曲のアーティスト名やタイトル等の著作権情報を入力させ、入力された楽曲データと共に、楽曲データ提供サーバ（４）にアップロードするようにしている。従って、ユーザが演奏した楽曲であっても、楽曲データ提供サーバ（４）において著作権管理ができるようになる。
【００１１】
また、この発明の楽曲データ送信装置では、楽曲先頭や末尾の空白部分や、携帯通信端末（８）の機種によっては利用されない演奏情報など、リアルタイム演奏の記録時に発生した不要部を、カットするように構成している。従って、携帯通信端末（８）で利用される着信メロディ等の楽曲データに、無用な空白ができることを防止したり、通信されるデータ容量を削減することができる。
【００１２】
この発明の更なる特徴による楽曲データ提供システムは、前述のように、演奏情報入力装置（２）からのリアルタイム演奏をＳＭＦ等の第１形式の楽曲データとして記録し、記録された第１形式の楽曲データを、携帯電話キャリア利用の携帯通信端末（８）に限定された送付先メールアドレス（Ａ４，Ａ５）と共に、楽曲データ提供サーバ（４）にアップロードする楽曲データ送信装置（１）と、楽曲データ送信装置（１）からアップロードされた第１形式の楽曲データを蓄積すると共に、受信した送付先メールアドレス（Ａ４，Ａ５）の携帯通信端末（８）へとダウンロードＵＲＬ（Uniform Resource Locator）を送信する楽曲データ提供サーバ（４）とから成り、楽曲データ提供サーバ（４）は、ダウンロードＵＲＬを受けた携帯通信端末（８）からのアクセスに応じて、第１形式の楽曲データを当該携帯通信端末の機種に適した第２形式の楽曲データ（着信メロディデータなど）に変換した後、変換された第２形式のデータを当該携帯通信端末（８）へと配信するように構成されている。従って、この発明によれば、さらに、楽曲データ提供サーバ（４）で、楽曲データ送信装置（１）からアップロードされた個性的な第１形式の楽曲データを、各携帯通信端末（８）の機能に対応した第２形式の楽曲データに変換し、これにより、各携帯通信端末（８）では、楽曲データ提供サーバ（４）から配信される個性的な楽曲データを、そのまま、簡単に着信メロディ等に利用することができる。
【００１３】
この発明の楽曲データ提供システムでは、さらに、楽曲データ送信装置（１）は、入力された楽曲の著作権情報を第１形式の楽曲データと共に楽曲データ提供サーバ（４）にアップロードし、楽曲データ提供サーバ（４）は、アップロードされた著作権情報に基づいて著作権処理を行うようにしているので、楽曲データ送信装置（１）のユーザが演奏した楽曲であっても、楽曲データ提供サーバ（４）において著作権管理をすることができる。
【００１４】
【発明の実施の形態】
以下、図面を参照しつつ、この発明の好適な実施の形態について詳述する。なお、以下の実施例は単なる一例であって、この発明の精神を逸脱しない範囲で種々の変更が可能である。
【００１５】
〔システムの概要〕
図１は、この発明の一実施例による楽曲データ送受信システム全体の概略的ブロック図を示す。楽曲データ送信装置１は、典型的には、楽曲データ送信に関する所定のアプリケーションプログラムをパーソナルコンピュータ（ＰＣ）に搭載して構成され、ＭＩＤＩキーボード等の製品から成る外部演奏情報入力装置２が接続される。楽曲データ送信装置１には、さらに、インターネット等の通信ネットワーク３を介して楽曲データ変換・配信サーバ（楽曲データ提供サーバ）４が相互通信可能に接続される。楽曲データ送信装置１のアプリケーションプログラムを提供するアプリケーションソフトウェアは、楽曲データ変換・配信サーバ４等からダウンロードしてもよいし、演奏情報入力装置２にバンドル（bundling）してもよい。楽曲データ送信装置１は、また、電子楽器で構成したり、楽曲データを送信する専用の装置でもよい。
【００１６】
楽曲データ変換・配信サーバ４は、典型的には、サーバコンピュータに楽曲データの提供（変換・配信）に関する所定のアプリケーションソフトウェアを搭載して構成され、多数の楽曲データを蓄積するサーバコンピュータである。楽曲データ変換・配信サーバ４には、著作権管理団体が提供する著作権管理サーバ５が接続される。この著作権管理サーバ５は、図１に示すように、専用線によりサーバ４に直接接続されているものに限らず、通信ネットワーク３或いは別の通信ネットワークを介して接続されていてもよい。通信ネットワーク３には、これら楽曲データ送信装置１及び楽曲データ変換・配信サーバ４の外に、さらに、無線通信キャリア（携帯電話会社）サーバ６を介して携帯電話機やＰＨＳ（Personal Handy phone System ）などの携帯通信端末８が接続されている。
【００１７】
楽曲データ送信装置１からは、楽曲データや携帯通信端末８のメールアドレスなどの情報を送信し、これらの情報は、通信ネットワーク３を経由して楽曲データ変換・配信サーバ４に送られる。また、楽曲データ変換・配信サーバ４は、メールや楽曲データなどを送信し、これらの情報は、無線通信キャリアサーバ６及び無線通信ネットワーク７を経由して携帯通信端末８に送られる。さらに、この逆の経路で、携帯通信端末８は、当該端末の機種情報等の情報を楽曲データ変換・配信サーバ４へと送信する。
【００１８】
さて、楽曲データ送信装置１は、ユーザインターフェース部１１、楽曲データ記録部１２及び通信部１３を含んでいる。楽曲データ記録部１２には、ＭＩＤＩキーボード等の外部演奏情報入力装置２がＭＩＤＩケーブルやＵＳＢケーブルなどにより接続されており、ユーザインターフェース部１１からの指示に基づき、この演奏情報入力装置２からリアルタイムに入力される演奏情報を楽曲データとしてリアルタイムに記録する。この楽曲データ（ここでは、記録後の演奏情報を楽曲データと呼ぶ。）の記録形式は、ＳＭＦ〔スタンダードＭＩＤＩファイル（Standard MIDI File）〕などの汎用の演奏データ形式であり、「第１形式」と呼ばれる。
【００１９】
楽曲データ記録部１２に記録された楽曲データは、ユーザインターフェース部１１から入力された各種情報と共に、通信部１３を介して楽曲データ変換・配信サーバ４へと送信される。なお、演奏情報入力装置２は、上述したキーボード以外の楽器でもよく、さらに、例えば、音声波形を入力し、この入力波形からピッチや音長などを検出して演奏情報を発生させるデータ変換装置などのように、楽器以外のものを用いてもよい。また、外部装置に限らず、楽曲データ送信装置１に内蔵されていてもよい。
【００２０】
楽曲データ変換・配信サーバ４は、通信部４１、楽曲データ記憶部４２及び楽曲データ変換部４３を含み、楽曲データ記憶部４２に蓄積された楽曲データを携帯通信端末８に提供する楽曲データ提供サーバとして機能する。楽曲データ送信装置１から送られてきた情報は、通信部４１を介して楽曲データ変換・配信サーバ４内に取り込まれる。取り込まれた情報のうち、楽曲データは楽曲データ記憶部４２に記憶される。通信部４１には著作権管理サーバ（著作権管理団体のサーバ）５が接続されている。この接続により、楽曲データ送信装置１から送られてきた情報に含まれる著作権情報に基づいて著作権管理サーバ５にアクセスし、対応する著作権管理番号を取得することができる。著作権管理番号は、後述する著作権処理に利用される。
【００２１】
通信部４１では、また、楽曲データ送信装置１から取り込んだ情報に含まれる送信先メールアドレスの携帯通信端末８へと楽曲データのダウンロードＵＲＬを含むメールを送信すると共に、このメールに応答して返信される携帯通信端末８からの要求に応じて、楽曲データ記憶部４２から楽曲データを読み出す。そして、読み出された楽曲データは、楽曲データ変換部４３にて当該携帯通信端末８に固有のデータ形式に変換され、通信部４１から通信経路３，６，７を介して携帯通信端末８へと送信される。ここで、端末８に送信される各固有のデータ形式は「第２形式」と呼ばれる。
【００２２】
携帯通信端末８は、電話機能部８１、通信部８２、楽曲データ記憶部８３、楽曲データ再生部８４を含む。通信部８２を介して受信した楽曲データ変換・配信サーバ４からのメールには、楽曲データダウンロードＵＲＬが含まれ、この楽曲データダウンロードＵＲＬに携帯通信端末８からアクセスすることによって、当該楽曲データをダウンロードし、楽曲データ記憶部８３に保存することができる。そして、この楽曲データは、楽曲データ再生部８４で再生することにより、例えば、着信メロディや各種アラーム等に利用することができる。
【００２３】
ここで、図１を用いてこの発明による楽曲データ送受信システムの概要を説明しておく。楽曲データ送信装置１は、通信端末に楽曲データを提供する楽曲データ変換・配信サーバ４と通信ネットワーク３を介して通信可能に接続される。演奏情報入力装置２から入力されるリアルタイム演奏情報は、不要部がカットされた上、第１形式（ＳＭＦ等の汎用形式）の楽曲データとして楽曲データ記録部１２に記録される。ユーザインターフェース部１１により、送付先携帯通信端末のメールアドレス（入力可能なメールアドレスは携帯通信端末類に限定される）や著作権情報が入力されると、第１形式の楽曲データ、送付先メールアドレス及び著作権情報は、通信部１３から楽曲データ変換・配信サーバ４にアップロードされる。
【００２４】
楽曲データ変換・配信サーバ４は、通信ネットワーク３を介して楽曲データ送信装置１及び携帯通信端末８と通信可能に接続され、楽曲データ送信装置１からアップロードされた第１形式の楽曲データを楽曲データ記憶部４２に蓄積し、著作権情報に基づいて著作権処理を行い、携帯通信端末メールアドレスにダウンロードＵＲＬを送信する。当該携帯通信端末メールアドレスの携帯通信端末８からアクセスがあると、これに応じて、第１形式の楽曲データは当該携帯通信端末８の機種に適した第２形式の楽曲データに変換され、第２形式の楽曲データが当該携帯通信端末８へと配信される。
【００２５】
図２は、この発明の一実施例による楽曲データ送信装置のユーザインターフェースを説明するための図である。楽曲データ送信装置１のディスプレイ（図示せず）には、図２（ａ），（ｂ）に示されるようなユーザ情報登録画面及び楽曲データ記録・送信画面が表示される。まず、図２（ａ）のユーザ情報登録画面例では、ユーザ名を入力するためのユーザ名入力部Ａ１、連絡先を入力するための連絡先入力部Ａ２、演奏情報入力装置名を入力するための演奏情報入力装置名入力部Ａ３などの情報入力確認エリアが設けられ、最下には、送信ボタンＢ１が設けられる。
【００２６】
ユーザ名入力部Ａ１で入力されるユーザ名は、楽曲データ変換・配信サーバ４が提供する楽曲データ変換・配信サービスを利用する楽曲データ送信装置ユーザ（利用者）を識別するための情報として用いられ、ユーザインターフェース部１１の操作子を用いて、ユーザの本名を書き込んでもよいし、ニックネームでもよい。連絡先入力部Ａ２には、メールアドレス等の連絡先が入力され、当該楽曲データ送信装置１のアプリケーションソフトウェアのバージョンアップや新規サービス等の連絡に用いることができる。
【００２７】
また、演奏情報入力装置名入力部Ａ３は、楽曲データを楽曲データ記録部１２に記録する際に使用する演奏情報入力装置（ＭＩＤＩキーボード等）２の名称を入力する。この演奏情報入力装置名は、演奏情報入力装置２の利用状況をリサーチしたり、或いは、楽曲データ変換・配信サービスの提供を特定の演奏情報入力装置２に限定したりするのに用いることができる。ユーザは、図２（ａ）のユーザ情報登録画面において、上述した各種ユーザ情報を各入力部Ａ１〜Ａ３に入力した後、送信ボタンＢ１を押す（クリック操作する）と、これらのユーザ情報は楽曲データ変換・配信サーバ４へと送信される。
【００２８】
次に、図２（ｂ）に示す楽曲データ記録・送信画面例では、操作ボタンとして、送信ボタンＢ１（最下）の外に、記録開始ボタンＢ２、記録停止ボタンＢ３、著作権情報選択ボタンＢ４、送信先携帯電話キャリア選択ボタンＢ５などが設けられる。また、情報入力確認エリアとしては、送信先メールアドレスの先頭部分入力部Ａ４及び後半部分表示部Ａ５から成る送信先メールアドレス表示エリアＡ４−Ａ５、メッセージ入力部Ａ６、ユーザ名・パスワード入力部Ａ７などが設けられる。
【００２９】
記録開始ボタンＢ２は、演奏情報の記録を開始させる指示を行うために用いられ、この記録開始ボタンＢ２を押すことにより、演奏情報入力装置２から入力される演奏情報のリアルタイム記録を開始することができる。記録停止ボタンＢ３は、演奏情報の記録を停止させるために用いられ、この記録停止ボタンＢ３を押すと、演奏情報入力装置２から入力される演奏情報のリアルタイム記録の停止が指示される。
【００３０】
著作権情報選択ボタンＢ４は、著作権情報選択画面（図示せず）をディスプレイ上に呼び出すために用いられ、この著作権情報選択ボタンＢ４の操作により著作権情報選択画面が現れる。この著作権情報選択画面は、アーティスト名、タイトルなどの著作権情報を選択するための画面であり、この画面を利用して、入力する予定の楽曲データ或いは入力した楽曲データの著作権情報を選択することができる。例えば、著作権情報について、複数の選択肢を表示し、その中からユーザに選択させたり、或いは、キーワード等により検索できるようにしてもよい。この著作権情報選択画面には「オリジナル」という選択肢を設けることができる。つまり、楽曲データが既存曲ではなく、ユーザが作曲したオリジナル曲であれば、この「オリジナル」が選択されるように構成する。
【００３１】
なお、著作権情報の取得については、楽曲データ送信装置１内に著作権情報データベースを有するように構成してもよいし、外部の著作権管理サーバ５等に、直接、或いは、図１に示すように、楽曲データ変換・配信サーバ４経由でアクセスすることで、その都度著作権情報を取得し、選択肢を提示するようにしてもよい。
【００３２】
送信先携帯電話キャリア選択ボタンＢ５は、携帯電話キャリア選択画面（図示せず）をディスプレイ上に呼び出すために用いられ、この送信先携帯電話キャリア選択ボタンＢ５を押すと携帯電話キャリア選択画面が現れる。この携帯電話キャリア選択画面には、楽曲データ送信装置１で取得された楽曲データの送信先となる携帯電話キャリア（電話会社）を選択する選択肢が表示されるので、ユーザは、この画面を利用して、キャリアを選択することができる。
【００３３】
そして、ユーザが携帯電話キャリアを選択すると、選択された携帯電話キャリアに応じて送信先メールアドレスの後半部分（例えば、＠以降の“○○．××．△△”〔図２（ｂ）のエリアＡ５参照〕）が決定される。これにより、送信先メールアドレスを携帯通信端末のものに限定することができる。また、このようにして決定された送信先メールアドレスの後半部分は、図２（ｂ）に例示されるように、送信先メールアドレスの後半部分表示部Ａ５に表示される。
【００３４】
送信先メールアドレス先頭部分入力部Ａ４は、送信先メールアドレスの先頭部分を入力するために用いられる。この例では、送信先携帯電話キャリア選択ボタンＢ５で選択された携帯電話キャリアに応じて、送信先メールアドレスの後半部分（＠以降）が自動的に決定されるので、ここでは、ユーザインターフェース部１１の操作子を用いて、メールアドレス先頭部分（＠より前）を入力する。なお、携帯電話キャリアによっては、例えば、図２（ｂ）のエリアＡ５における“○○．”の部分がユーザ毎に異なり、“××．“△△”の部分が共通するというように、＠以降の一部がユーザごとに異なる場合があるので、その場合は、＠以降のユーザ毎に異なる部分もユーザの手で入力することができるように構成することが好ましい。
【００３５】
また、メッセージ入力部Ａ６は、必要に応じて送信先へのメッセージを入力するためのエリアであり、ユーザ名・パスワード入力部Ａ７は、ユーザ名及びパスワードを入力するためのエリアである。ユーザは、図２（ｂ）の楽曲データ記録・送信画面において、上述した楽曲データの記録操作や送信先メールアドレス等の入力が完了した後、送信ボタンＢ１を押すと、記録された楽曲データ及び各種入力情報は楽曲データ変換・配信サーバ４へと送信される。
【００３６】
〔フローチャート例〕
図３及び図４は、この発明の一実施例による楽曲データ送受信システムで実行される楽曲データ送受信処理のフローチャートを表わす。まず、楽曲データ送信装置１側で、ステップＳ１において、ユーザは、図２（ａ）に示すディスプレイ上のユーザ情報登録画面を用いて、各入力部Ａ１〜Ａ３にユーザ情報を入力し、送信ボタンＢ１を押して楽曲データ変換・配信サーバ４へとユーザ情報を送信する。
【００３７】
楽曲データ変換・配信サーバ４側では、ステップＳ１１において、これに応じて、楽曲データ送信装置１から送信されてきたユーザ情報を登録し、当該楽曲データ送信装置１のユーザ宛のパスワードを発行する。この場合、もし、同じユーザ名のユーザが他にいれば、他のユーザ名に変更すべき旨を警告する。パスワードは楽曲データ送信装置１に送られる。
【００３８】
楽曲データ送信装置１は、ステップＳ２において、楽曲データ変換・配信サーバ４から送られてきたパスワードを受信し、必要に応じて、ディスプレイに表示したり保存したりする。次のステップＳ３で、ユーザは、図２（ｂ）に示すディスプレイ上の楽曲データ記録・送信画面を用いて、楽曲データ記録開始ボタンＢ２を押すと、演奏情報入力装置２から入力される演奏情報のリアルタイム記録が開始される。これに応じて、続くステップＳ４では、楽曲データ送信装置１は、時間経過に従って演奏情報を楽曲データ記録部１２にリアルタイムで楽曲データとして記録する。具体的には、第１形式に従う「時間データ＋演奏データ（ＭＩＤＩイベントデータ）」が記録される。次いで、ステップＳ５で、ユーザが楽曲データ記録停止ボタンＢ３を押すと、エンドデータが書き込まれ、入力された演奏情報のリアルタイム記録が停止される。
【００３９】
次に、ステップＳ６では、記録された楽曲データ中の不要部分の削除する不要部削除（カット）処理を行う。この削除処理には、例えば、次のような処理がある：
（１）記録開始ボタンＢ２が押されてから最初の演奏情報が入力されるまでの空白を削除する。具体的には、最初の演奏情報の時間データを短縮する。
（２）最後の演奏情報が入力されてから記録停止ボタンＢ３が押されるまでの空白を削除する。具体的には、最後の演奏情報からエンドデータまでの時間データを短縮する。
（３）携帯通信端末用楽曲データでは利用されない種類のデータを削除（カット）する。この種のデータには、例えば、演奏情報入力装置２に固有のシステムエクスクルーシブデータなどがある。
【００４０】
ステップＳ６での不要部削除処理は自動的に行うことができる。この削除処理によって、携帯通信端末８で利用される着信メロディ等の楽曲データにおいて、無用な空白が生じてしまうのを防止したり、携帯通信端末８に通信されるデータの容量を削減することができる。次のステップＳ７（図４）では、楽曲データ記録・送信画面〔図２（ｂ）〕の著作権情報選択ボタンＢ４を利用して、記録した楽曲データについてアーティスト名やタイトルなどの著作権情報を入力する。これにより、ユーザが演奏した楽曲であっても、楽曲データ変換・配信サーバ４において著作権管理ができるようになる。
【００４１】
次いで、ステップＳ８では、送信先携帯電話キャリア選択ボタンＢ５を操作し、送信先メールアドレスの先頭部分入力部Ａ４に情報入力して、楽曲データの送付先となる携帯通信端末８のメールアドレスを入力する。これにより、入力可能なメールアドレスが携帯通信端末８のものに限定されるので、携帯通信端末８以外に間違って楽曲データを配信することを防止できる。つまり、一般的に、携帯通信端末８に配信された楽曲データは、他の装置に転送したり、取り出したりすることができないため、楽曲データを違法コピーされる可能性が低いが、パーソナルコンピュータ等に配信してしまうと、簡単に違法コピーされてしまう可能性があるからである。
【００４２】
次のステップＳ９では、必要に応じて、メッセージ入力部Ａ６を用いて所要のメッセージを入力する。そして、ステップＳ１０では、ユーザ名・パスワード入力部Ａ７を用いて、さらに、ユーザ名〔（利用者識別用の）ユーザ情報〕及びパスワードを入力した上、送信ボタンＢ１の操作に応じて、既に、ステップＳ７，Ｓ８で入力された著作権情報及びメールアドレス、並びに、ステップＳ４で記録された楽曲データと共に、通信部１３を介して楽曲データ変換・配信サーバ４へと送信する。
【００４３】
これに対して、楽曲データ変換・配信サーバ４では、ステップＳ１２（図３）において、楽曲データ送信装置１から送信されてきたユーザ名〔（利用者識別用の）ユーザ情報〕及びパスワードを、サーバに登録されている情報と照合し、正規のユーザであることが確認できれば、ステップＳ１３以下の処理に進み、そうでなければ「ユーザ情報及び／又はパスワードが違う」旨を楽曲データ送信装置１に警告する。
【００４４】
次のステップＳ１３では、楽曲データ送信装置１から送信されてきた著作権情報（アーティスト名、タイトルなど）を著作権管理サーバ５に問い合わせ、著作権管理番号を取得する。この著作権管理番号は各楽曲に固有の情報で、この情報を基にして著作権処理（著作権料の支払い）が可能になる。なお、著作権情報が「オリジナル」の場合は、著作権管理番号がない（著作権管理団体では管理していない）楽曲であるので、番号は取得せず、著作権処理もしない。
【００４５】
続いて、ステップＳ１４では、楽曲データ送信装置１から送信されてきた楽曲データに対して楽曲ＩＤを発行し、ＩＤ、楽曲データ、著作権管理番号をセットにして楽曲データ記憶部４２に記憶する。なお、このＩＤは、１つの楽曲に対して付与されるＩＤであるが、同じ著作権管理番号の楽曲であっても、異なるユーザが記録したり、同じユーザが複数回記録する等のように、楽曲データが複数あれば、異なるＩＤとなる。
【００４６】
次に、ステップＳ１５では、上述のＩＤを含んだダウンロードページのＵＲＬ、著作権情報（アーティスト名やタイトル）、メッセージを含んだメールなどを、送信されてきた送付先メールアドレスへと送信する。例えば、「○○様より、○○様が演奏された楽曲データが送られてきました。アーティスト名は××、タイトルは△△です。『僕から君へのクリスマスプレゼントです』とのことです。ダウンロードＵＲＬは、http://www.xxxx.yy.zz/123456/ です。」などといった内容のメールが携帯通信端末８に送信される。ここで、「○○」はユーザ名、「××」及び「△△」は著作権情報、『僕から〜プレゼントです』はメッセージ、ダウンロードＵＲＬの内の「123456」は楽曲ＩＤである。
【００４７】
これに応じて、携帯通信端末８は、ステップＳ２１において、楽曲データ変換・配信サーバ４から送信されてきたメールを受信し、ステップＳ２２では、受信したメールの内容を端末自身の表示器に表示する。続いて、ステップＳ２３では、このメールの内容に含まれるダウンロードＵＲＬへとアクセスする。例えば、ＵＲＬの文字列上にカーソルを持っていき、ボタンをクリックする。そして、ステップＳ２４（図４）において、当該携帯通信端末８の機種情報（機種ＩＤなど）及びダウンロードＵＲＬを楽曲データ変換・配信サーバ４へと送信する。
【００４８】
これに対して、楽曲データ変換・配信サーバ４では、ステップＳ１６において、携帯通信端末８から送信されてきたＵＲＬに含まれる楽曲ＩＤを抽出し、対応する楽曲データを楽曲データ記憶部４２から読み出す。次いで、ステップＳ１７では、送信されてきた携帯通信端末８の機種情報に基づいて、当該携帯通信端末８の機種乃至能力に適したフォーマットに楽曲データを変換する。このフォーマットは、当該携帯通信端末８で利用可能なフォーマットである。つまり、具体的には、携帯通信端末８で利用可能な楽曲データは、同時発音数や、処理可能な演奏データ種類、時間データの管理の仕方などが、携帯通信端末ごと或いは携帯電話キャリアごと等で異なっているので、これらを当該携帯通信端末８に合うように変換する。次に、ステップＳ１８では、変換後の楽曲データを通信部４１を介して携帯通信端末８へと配信する。
【００４９】
これに応じて、携帯通信端末８は、ステップＳ２５において、配信された楽曲データを通信部８２で受信して楽曲データ記憶部８３に保存する。そして、ステップＳ２６において、電話の着信や、アラーム設定等に応じて、記憶されている楽曲データを再生する。
【００５０】
一方、楽曲データ変換・配信サーバ４は、ステップＳ１９にて、所定期間（例えば、１か月）ごとに著作権処理を行う。具体的には、ダウンロード（配信）された楽曲数と対応する著作権管理番号を著作権管理団体に報告し、相当の著作権料を支払う処理を行う。なお、オリジナル楽曲については著作権管理団体が管理していないので、著作権料は支払わない。また、著作権料は、楽曲をダウンロードしたユーザが負担してもよいし、楽曲を楽曲データ変換・配信サーバ４にアップロードした楽曲データ送信装置１のユーザが負担してもよいし、楽曲データ変換・配信サーバ４で広告を表示し、その広告費でまかなってもよい。或いは、演奏情報入力装置のメーカーが、当該装置の販売促進用として、このデータ変換・配信サービスを行う場合は、メーカーが負担してもよい。
【００５１】
〔種々の実施態様〕
以上、この発明を一実施例について説明したが、楽曲データ送信装置（１）において、記録した楽曲データを編集できるようにしたり、試聴できるようにしたりしてもよい。
【００５２】
実施例においては、楽曲データ送信装置１において、記録した楽曲のアーティスト名や曲名を入力して、これを著作権情報として楽曲データ変換・配信サーバ４へと送信し、楽曲データ変換・配信サーバ４において、著作権情報を元に著作権管理番号を取得するように構成したが、楽曲データ送信装置（１）が、直接、著作権管理サーバ（５）に問い合わせて著作権管理番号を取得して、これを楽曲データ変換・配信サーバ（４）に送信するようにしてもよい。
【００５３】
また、実施例では、送信先メールアドレスを限定する方法として、携帯電話キャリアを選択させるようにしたが、ユーザに自由にメールアドレスを入力させ、装置側でそのメールアドレスが携帯電話キャリアのものであるか否かを判定するようにしてもよい。例えば、携帯電話キャリアのメールアドレスの＠以降を登録したテーブルを設けて、メールアドレスをこのテーブルと照合するなどの方法がある。
【００５４】
【発明の効果】
以上説明したように、この発明によれば、楽曲データ送信装置（１）にて、電子楽器などの演奏情報入力装置（２）からのリアルタイム演奏をＳＭＦ等の所定形式（第１形式）の楽曲データとして記録し、楽曲データ送付先の携帯通信端末について、携帯電話キャリアを選択しユーザアカウントを入力することにより、携帯電話キャリアに応じたドメイン名とユーザアカウントに基づいて送付先メールアドレスを特定し、記録された楽曲データを送付先メールアドレスと共に楽曲データ提供サーバ（４）にアップロードするようにしたので、家族や友人などが演奏情報入力装置を使ってリアルタイム演奏した個性的な（癖のある、あまり上手ではない、など）演奏情報から、送付先メールアドレスが付随した携帯通信端末用楽曲データを簡単に作成して楽曲データ提供サーバにアップロードすることができ、送付先携帯通信端末において個性的な演奏の楽曲データを着信メロディ等に有効利用させることができると共に、入力可能な送付先メールアドレスを携帯電話キャリア利用の携帯通信端末に限定し、このような携帯通信端末以外のパーソナルコンピュータ等の端末に間違って楽曲データを配信することを防止することができる（請求項１，６）。
【００５５】
また、ユーザに楽曲のアーティスト名やタイトル等の著作権情報を入力させ、入力された楽曲データと共に楽曲データ提供サーバにアップロードするようにしたので、ユーザが演奏した楽曲であっても、楽曲データ提供サーバ（４）において著作権管理ができるようになる（請求項２）。さらに、リアルタイム演奏の記録時に発生した不要部（楽曲先頭や末尾の空白部分や、第２形式の楽曲データでは利用されない演奏情報等）をカットするようにしたので、携帯通信端末の着信メロディ等において、無用な空白ができることを防止したり、通信されるデータ容量を削減することができる（請求項３）。
【００５６】
この発明によれば、上述のように、楽曲データ送信装置（１）により、演奏情報入力装置（２）からのリアルタイム演奏をＳＭＦ等の第１形式の楽曲データとして記録し、記録された第１形式の楽曲データを、携帯電話キャリア利用の携帯通信端末（８）に限定された送付先メールアドレスと共に、楽曲データ提供サーバ（４）にアップロードすると、さらに、楽曲データ提供サーバ（４）では、楽曲データ送信装置（１）からアップロードされた第１形式の楽曲データを蓄積すると共に、受信した送付先メールアドレスの携帯通信端末（８）へとダウンロードＵＲＬを送信し、当該携帯通信端末（８）からのアクセスに応じて、第１形式の楽曲データを当該携帯通信端末（８）の機種に適した第２形式の楽曲データ（着信メロディデータなど）に変換した後、第２形式のデータを当該携帯通信端末（８）へと配信するようにしたので、さらに、演奏情報入力装置（２）を使ってリアルタイム演奏した個性的な楽曲データを簡単に携帯通信端末（８）の着信メロディ等に利用することができる（請求項４，７）。
【００５７】
また、楽曲データ送信装置（１）は、入力された楽曲の著作権情報を楽曲データと共に楽曲データ提供サーバにアップロードし、楽曲データ提供サーバ（４）は、アップロードされた著作権情報に基づいて著作権処理を行うようにしたので、ユーザが演奏した楽曲であっても、楽曲データ提供サーバ（４）において著作権管理をすることができる（請求項５）。
【図面の簡単な説明】
【図１】図１は、この発明の一実施例による楽曲データ送受信システム全体の概略的ブロック図である。
【図２】図２は、この発明の一実施例による楽曲データ送信装置のユーザインターフェース画面の一例を示す図であり、図２（ａ）はユーザ情報登録画面例を示し、図２（ｂ）は楽曲データ記録・送信画面例を示す。
【図３】図３は、この発明の一実施例による楽曲データ送受信システムで実行される楽曲データ送受信処理のフローチャートの一部を表わす図である。
【図４】図４は、この発明の一実施例による楽曲データ送受信システムで実行される楽曲データ送受信処理のフローチャートの他部を表わす図である。
【符号の説明】
１  楽曲データ送信装置、
２  演奏情報入力装置（電子楽器など）、
４  サーバコンピュータ〔楽曲データ提供（変換・配信）サーバ〕、
８  携帯通信端末、
Ａ１  ユーザ名入力部、
Ａ２  連絡先入力部、
Ａ３  演奏情報入力装置名入力部、
Ａ４，Ａ５  送信先メールアドレスの先頭部分入力部Ａ４及び後半部分表示部Ａ５から成る送信先メールアドレス表示エリア、
Ａ６、メッセージ入力部、
Ａ７  ユーザ名・パスワード入力部。
【図１】
0003797212.tif 000002
【図２】
0003797212.tif 000003
【図３】
0003797212.tif 000004
【図４】
0003797212.tif 000005